(57)【要約】      （修正有）【課題】様々な径の被回転体に適用でき、当該被回転体に対して滑りにくい回転補助具を提供する。【解決手段】回転補助具１は、被回転体と係合する第１の係合面２２ａを有する第１のアーム２１ａと、第１のアーム２１ａの上端と連結され、前記被回転体と係合する第２の係合面２２ｂを有する第２のアーム２１ｂと、第１のアーム２１ａの下端に接続され、使用者によって把持される第１の把持面２４ａを有する第１のハンドル２３ａと、第２のアーム２１ｂの下端に接続され、使用者によって把持される第２の把持面２４ｂを有する第２のハンドル２３ｂと、第１の係合面２２ａ、第２の係合面２２ｂ、第１の把持面２４ａ、及び第２の把持面２４ｂに沿うように配置されたベルト３０とを備える。第１のアーム２１ａ及び第２のアーム２１ｂは第１の把持面２４ａ及び第２の把持面２４ｂが把持された時にベルト３０を介して前記被回転体に押しつけられる方向に揺動する。【選択図】図１
2018034220.tif 000002
【特許請求の範囲】
【請求項１】
被回転体と係合する第１の係合面を有する第１のアームと、
前記第１のアームの上端と連結され、前記被回転体と係合する第２の係合面を有する第２のアームと、
前記第１のアームの下端に接続され、使用者によって把持される第１の把持面を有する第１のハンドルと、
前記第２のアームの下端に接続され、使用者によって把持される第２の把持面を有する第２のハンドルと、
前記第１の係合面、前記第２の係合面、前記第１の把持面、及び前記第２の把持面に沿うように配置された弾性体から成るベルトと、
を備え、
前記第１のアーム及び前記第２のアームは、互いと近づく方向及び互いから遠ざかる方向に揺動可能であり、前記第１の把持面及び前記第２の把持面が使用者によって把持されたときに前記被回転体に押しつけられる方向に揺動するように構成されている、回転補助具。
【請求項２】
前記ベルトは、前記第１のアーム及び前記第１のハンドルの少なくとも一方を通過して前記第１の係合面から前記第１の把持面まで延伸する、請求項１に記載の回転補助具。
【請求項３】
前記ベルトは、前記第２のアーム及び前記第２のハンドルの少なくとも一方を通過して前記第２の係合面から前記第２の把持面まで延伸する、請求項１に記載の回転補助具。
【請求項４】
前記被回転体は、魚釣り用リールを釣り竿に固定するためのリールシート用のナットである、請求項１ないし請求項３のいずれか１項に記載の回転補助具。
【発明の詳細な説明】
【技術分野】
【０００１】
本発明は、ナット等の被回転体を回転させるための回転補助具に関する。
【背景技術】
【０００２】
従来から、ネジ蓋、ボルト、ナット等の被回転体を回転させるための回転補助具が知られている。例えば、登録実用新案第３０９３７３５号公報には、燃料タンクの栓を開閉するための回転補助具が開示されている。この回転補助具は、断面Ｃ字状の係合アームを備えており、使用時には、燃料タンクの栓に当該係合アームを嵌め合わせてからハンドルを回転させることにより、梃子の原理を利用して当該燃料タンクの栓を容易に開閉できる。
【０００３】
しかしながら、この回転補助具は、アームの内径が一定であるため、当該アームの内径と同程度の外径を有する被回転体にしか用いることができない。そこで、様々な径の被回転体に適用できるように工夫された回転補助具が提案されている。例えば、特開平７−３２８９３９号公報及び特開平９−１８３４９０号公報には、異なる曲率を有する複数の挟持部を有するように構成されたアームを有する回転補助具が開示されている。しかしながら、回転補助具に互いに異なる曲率を持つ挟持部を複数設けても、その挟持部の曲率と異なる曲率を有する被回転体には当該回転補助具を用いることができない。
【０００４】
ハンドルにベルトを取り付けた回転補助具も提案されている（例えば、実開昭４８−６５６６２号公報、実開昭４８−１１０３６８号公報、実開昭５２−９１３５７号公報、及び特開２００５−３３５７８６号公報）。この回転補助具は、ネジ蓋にベルトを巻き付けてからハンドルを回転させることによりネジ蓋を開閉することができるように構成されている。この種の回転補助具は、ベルトの長さを調整することにより、様々な径の被回転体に用いることができる。しかしながら、特開２００５−３３５７８６号公報でも指摘されているように、この種の回転補助具においては、ベルトがネジ蓋に対して滑りやすいという問題がある。
【先行技術文献】
【特許文献】
【０００５】
【特許文献１】登録実用新案第３０９３７３５号公報
【特許文献２】特開平７−３２８９３９号公報
【特許文献３】特開平９−１８３４９０号公報
【特許文献４】実開昭４８−６５６６２号公報
【特許文献５】実開昭４８−１１０３６８号公報
【特許文献６】実開昭５２−９１３５７号公報
【特許文献７】特開２００５−３３５７８６号公報
【発明の概要】
【発明が解決しようとする課題】
【０００６】
本発明は、上述した従来の回転補助具における課題の少なくとも一つを解決又は緩和することを目的とする。より具体的な本発明の目的の一つは、様々な径の被回転体に適用でき、当該被回転体に対して滑りにくい回転補助具を提供することである。本発明のこれら以外の目的は、本明細書全体を参照することにより明らかとなる。
【課題を解決するための手段】
【０００７】
本発明の一実施形態に係る回転補助具は、被回転体と係合する第１の係合面を有する第１のアームと、前記第１のアームの上端と連結され、前記被回転体と係合する第２の係合面を有する第２のアームと、前記第１のアームの下端に接続され、使用者によって把持される第１の把持面を有する第１のハンドルと、前記第２のアームの下端に接続され、使用者によって把持される第２の把持面を有する第２のハンドルと、前記第１の係合面、前記第２の係合面、前記第１の把持面、及び前記第２の把持面に沿うように配置されたベルトと、を備える。本発明の一実施形態において、前記第１のアーム及び前記第２のアームは、互いと近づく方向及び互いから遠ざかる方向に揺動可能に構成されている。本発明の一実施形態において、前記第１のアーム及び前記第２のアームは、前記第１の把持面及び前記第２の把持面が使用者によって把持されたときに前記被回転体に押しつけられる方向に揺動するように構成される。
【０００８】
当該実施形態に係る回転補助具によれば、被回転体を回転させるために第１のハンドルの第１の把持面及び第２のハンドルの第２の把持面が使用者によって把持されたときに、当該第１のアーム及び当該第２のアームが当該被回転体に押しつけられる。このとき、ベルトは、当該第１のアームの第１の係合面及び当該第２のアームの第２の係合面によって当該被回転体に押しつけられるので、当該ベルトが当該被回転体に対して滑りにくくなる。このとき、当該ベルトは、使用者によって当該第１のハンドル及び当該第２のハンドルとともに把持されるので、当該ベルトが当該本体に対して滑ることを防止できる。
【０００９】
また、当該実施形態に係る回転補助具によれば、より小径又は大径の被回転体を回転させるために当該回転補助具を用いる場合にも、第１の係合面及び第２の係合面がベルトを介して当該被回転体に十分に押しつけられるまで当該第１のハンドル及び当該第２のハンドルを互いに近づく方向に揺動させることにより、当該小径又は大径の被回転体に対して滑らないようにベルトを押しつけることができる。したがって、当該実施形態に係る回転補助具は、様々な径の被回転体を回転させるために用いることができる。
【発明の効果】
【００１０】
本発明の実施形態によれば、様々な径の被回転体に適用でき、当該被回転体に対して滑りにくい回転補助具を提供することができる。
【図面の簡単な説明】
【００１１】
【図１】本発明の一実施形態に係る回転補助具を示す平面図である。
【図２】図１の回転補助具の正面図である。
【図３】図２の回転補助具のＡ−Ａ線に沿って切断した断面図である。
【図４】本発明の一実施形態に係る回転補助具を示す正面図である。図４の回転補助具は開姿勢をとっている。
【図５】本発明の一実施形態に係る回転補助具を示す正面図である。図５の回転補助具は閉姿勢をとっている。
【図６】図１の回転補助具の使用方法を示す模式図である。図６に示されている回転補助具は、魚釣り用リールを固定するためのリールシートのナットを回転させるために用いられている。
【発明を実施するための形態】
【００１２】
以下、適宜図面を参照し、本発明の様々な実施形態を説明する。なお、各図面において同一の又は同等の構成要素に対しては同一の又は類似する参照符号が付されている。各図面は、説明の便宜上、必ずしも正確な縮尺で記載されているとは限らない点に留意されたい。
【００１３】
図１ないし図３を参照して、本発明の一実施形態に係る回転補助具を説明する。図１は、本発明の一実施形態に係る回転補助具１を示す平面図であり、図２は、図１の回転補助具１の正面図であり、図３は、当該回転補助具１を図２のＡ−Ａ線を通る平面で切断した断面を示す断面図である。この回転補助具１は、ナット等の被回転体を回転させるために用いられる。
【００１４】
図示のとおり、本発明の一実施形態に係る回転補助具１は、本体１０と、ベルト３０と、を備える。本体１０を形成するための材料として、硬質樹脂材料、繊維強化樹脂、金属材料等の可撓性のある材料を用いることができる。本体１０は、金型成型によりその全体を一体成型してもよいし、別個に製作された複数の部品を接合することで作製してもよい。本体１０は、その全体を同一の材料から形成してもよいし、各構成部分を互いと異なる材料から形成してもよい。ベルト３０は、柔軟な合成樹脂等の弾性体から成る。本体１０に対するベルト３０の配置については後述する。
【００１５】
本体１０は、第１のアーム２１ａと、第２のアーム２１ｂと、第１のハンドル２３ａと、第２のハンドル２３ｂと、を備える。
【００１６】
図１に示すように、第１のアーム２１ａと第２のアーム２１ｂとは、互いと対向するように延伸しており、各々の上端で互いと接続されている。第１のアーム２１ａは、被回転体と係合する第１の係合面２２ａを有し、第２のアーム２１ｂは、被回転体と係合する第２の係合面２２ｂを有している。第１のアーム２１ａ及び第２のアーム２１ｂは、この第１の係合面２２ａと第２の係合面２２ｂとが互いに対向するように設けられる。第１の係合面２２ａ及び第２の係合面２２ｂは、後述するように、被回転体と係合するように形成される。本発明の一実施形態において、第１の係合面２２ａ及び第２の係合面２２ｂは、図示のとおり部分円弧状に湾曲している。図示した第１の係合面２２ａ及び第２の係合面２２ｂの形状は例示であり、この第１の係合面２２ａ及び第２の係合面２２ｂは、被回転体に係合する任意の形状をとることができる。第１の係合面２２ａ及び第２の係合面２２ｂは、例えば、平坦であってもよく、複数の平坦面を組み合わせた凹凸のある面であってもよい。第１の係合面２２ａと第２の係合面２２ｂとは、図示のように、同一の形状に形成されてもよく、互いに異なる形状に形成されてもよい。
【００１７】
第１のアーム２１ａと第２のアーム２１ｂとが接続される接続位置には円柱形状の芯金２０が設けられている。第１のアーム２１ａ及び第２のアーム２１ｂは、使用者の操作に応じてこの芯金２０の軸周りに揺動するように設けられる。後述するように、第１のアーム２１ａ及び第２のアーム２１ｂは、互いと近づく方向及び互いから遠ざかる方向に揺動可能に設けられる。
【００１８】
第１のハンドル２３ａは第１のアーム２１ａの下端に接続され、第２のハンドル２３ｂは第２のアーム２１ｂの下端に接続される。本発明の一実施形態において、第１のハンドル２３ａは、第１のアーム２１ａの下端から棒状に延伸するように構成され、第２のハンドル２３ｂは、第２のアーム２１ｂの下端から棒状に延伸するように構成される。本発明の一実施形態においては、第１の係合面２２ａの下端と第２の係合面２２ｂの下端とを結ぶ仮想線（図１における仮想線）を第１のアーム２１ａと第１のハンドル２３ａとの境界、及び、第２のアーム２１ｂと第２のハンドル２３ｂとの境界とすることができる。
【００１９】
使用時には、この第１のハンドル２３ａの第１の把持面２４ａ及び第２のハンドル２３ｂの第２の把持面２４ｂが使用者の手で把持される。使用者は、例えば、片方の手の親指を第１の把持面２４ａの方向から第１のハンドル２３ａに添え、同じ手の残り４本の指を第２の把持面２４ｂの方向から第２のハンドル２３ｂに添えるようにして、回転補助具１を握りこむことができる。
【００２０】
本発明の一実施形態において、ベルト３０は、細長い帯状に形成されており、その中央付近の部分は、第１のアーム２１ａの第１の係合面２２ａ及び第２のアーム２１ｂの第２の係合面２２ｂに沿うように配置される。また、ベルト３０は、図３の断面図に最も明瞭に示されているように、この中央付近の部分から一方の端部に向かっては、第１のアーム２１ａの内側にある第１の係合面２２ａから当該第１のアーム２１ａ及び第１のハンドル２３ａの内部を通過して第１のハンドル２３ａの外側にある第１の把持面２４ａまで延伸し、さらに第１の把持面２４ａに沿って延伸するように配置され、他方の端部に向かっては、第２のアーム２１ｂの内側にある第２の係合面２２ｂから当該第２のアーム２１ｂ及び第２のハンドル２３ｂの内部を通過して第２のハンドル２３ｂの外側にある第２の把持面２４ｂまで延伸し、さらに第２の把持面２４ｂに沿って延伸するように配置される。このように、ベルト３０は、その中央付近の部分が第１の係合面２２ａ及び第２の係合面２２ｂに沿って延伸し、当該中央付近の部分よりも両端部に近い部分がそれぞれ第１の把持面２４ａ及び第２の把持面２４ｂに沿って延伸するように配置される。
【００２１】
次に、図４及び図５を参照して、本発明の一実施形態に係る回転補助具１によって被回転体を回転させる方法を説明する。図４及び図５には、被回転体の例としてナット４０ｂを示している。図４及び図５に示した実施形態においては、ボルト４０ａにナット４０ｂが螺合されている。回転補助具１を用いてナット４０ｂをボルト４０ａの周りに回転させるためには、使用者はまず、図４に示すように第１のアーム２１ａと第２のアーム２１ｂとの間にナット４０が位置するように回転補助具１を配置する。このとき、第１のハンドル２３ａ及び第２のハンドル２３ｂには芯金２０の周りで揺動させるための力が使用者によって加えられていない。本明細書においては、第１のハンドル２３ａ及び第２のハンドル２３ｂを揺動させるための力が使用者によって加えられていない場合の回転補助具１の姿勢を開姿勢という。
【００２２】
使用者は続いて、第１のハンドル２３ａの第１の把持面２４ａ及び第２のハンドル２３ｂの第２の把持面２４ｂを例えば片方の手の指で握り混むことにより、第１のハンドル２３ａと第２のハンドル２３ｂとを互いと近づく方向（図４に点線の矢印で示す方向）に芯金２０の周りに揺動させる。ベルト３０は第１の把持面２４ａ及び第２の把持面２４ｂに沿って配置されているので、使用者は、第１の把持面２４ａ及び第２の把持面２４ｂとともにベルト３０も握りこむ。
【００２３】
この使用者の操作により、第１のハンドル２３ａ及び第２のハンドル２３ｂは、図５に示すように、第１のアーム２１ａ及び第２のアーム２１ｂがそれぞれベルト３０を介してナット４０ｂの外周面に押しつけられるまで互いと近づく方向に揺動することができる。このように第１のアーム２１ａ及び第２のアーム２１ｂがそれぞれベルト３０を介してナット４０ｂの外周面に押しつけられるまで第１のハンドル２３ａ及び第２のハンドル２３ｂを揺動させたときの回転補助具１の姿勢を本明細書において閉姿勢という。つまり、回転補助具１が閉姿勢にあるときには、第１のアーム２１ａ及び第２のアーム２１ｂはそれぞれ、ベルト３０を介してナット４０ｂの外周面に押しつけられている。
【００２４】
次に、使用者は、第１のハンドル２３ａ及び第２のハンドル２３ｂを握りこんで回転補助具１を閉姿勢に保ったままナット４０ｂを締め付ける方向又はナット４０ｂを緩める方向に本体１０全体を回転させる。本体１０の回転方向は、図５に点線の矢印で示されている。第１のアーム２１ａ及び第２のアーム２１ｂがそれぞれベルト３０を介してナット４０ｂの外周面に押しつけられると、ベルト３０がナット４０ｂの外周面に対して滑りにくくなる。よって、使用者は、梃子の原理を利用してナット４０ｂを少ない力で回転させることができる。このとき、使用者は、第１のハンドル２３ａ及び第２のハンドル２３ｂとともにベルト３０も握りこんでいるため、ベルト３０が本体１０に対して滑ることを防止できる。
【００２５】
被回転体の径が図４及び図５に示されているナット４０ｂの径よりも小さい場合又は大きい場合にも、開姿勢からの第１のハンドル２３ａ及び第２のハンドル２３ｂの揺動量を調整することにより、第１のアーム２１ａ及び第２のアーム２１ｂを当該小径又は大径の被回転体の外周面に押しつけることができる。例えば、被回転体の径が図４及び図５に示されているナット４０ｂより小さい場合には、第１のハンドル２３ａ及び第２のハンドル２３ｂを図４及び図５に示されている場合よりもさらに互いと近づく方向に揺動させることにより、第１のアーム２１ａ及び第２のアーム２１ｂを当該小径の被回転体の外周面に押しつけることができる。
【００２６】
次に、図６を参照して、回転補助具１を用いて魚釣り用リールを固定するためのリールシートのナットを回転させる方法を説明する。図６に示すように、魚釣り用リール６０は、リールシート５０を介して釣り竿の竿体７０に取り付けられる。リールシート５０は、図示のように、魚釣り用リール６０の脚部の一方の端部を収容する挿入孔を有する固定フード５６が設けられた本体部５２と、この固定フード５６に対向する位置に設けられ魚釣り用リール６０の脚部の他方の端部を収容する移動フード５４と、この移動フード５４よりも前方側（竿先側）に設けられたナット５８と、を備える。
【００２７】
このナット５８を回転させることにより、ナット５８の内周面に形成された雌ネジ部が本体部５２の竿先側端部に設けられた雄ネジ部と嵌め合せられて移動フード５４を竿杆７０の軸方向に移動させることができる。ナット５８を締め付け方向に回転させることにより、魚釣り用リール６０の脚部は、移動フード５４と固定フード５６との間に固定される。リールシート５０は、ナイロン、ＡＢＳ等の合成樹脂やアルミ、ＳＵＳ、チタン等の金属等によって形成される。図６に示したリールシート５０は例示に過ぎず、本発明の回転補助具は、ナットを有する任意のリールシートにおいて当該ナットを回転させるために用いられ得る。
【００２８】
このナット５８を締め付ける方向又は緩める方向に回転させる場合には、使用者は、図４の例と同様に、第１のアーム２１ａと第２のアーム２１ｂとの間にナット５８が位置するように回転補助具１を配置する。使用者は続いて、第１のハンドル２３ａの第１の把持面２４ａ及び第２のハンドル２３ｂの第２の把持面２４ｂを例えば片方の手の指で握りこむことにより回転補助具１を閉姿勢に変形させる。次に、使用者は、回転補助具１を閉姿勢に保ったままナット５８を締め付ける方向又はナット５８を緩める方向に本体１０全体を回転させる。このようにして、リールシート５０のナット５８を回転させ、ナット５８を締め付けたり、緩めたりすることができる。
【００２９】
リールシート５０のナット５８は、図示のように、リール６０と竿体７０との間の狭い隙間にある。この位置にあるナット５８には、リール６０が邪魔になって使用者の指からは十分な力を伝えにくい。回転補助具１を用いれば、梃子の原理により、このような狭い隙間にあるナット５８に対して指で加えることができる力よりも大きな力を加えることができる。
【００３０】
本明細書で説明された各構成要素の寸法、材料、及び配置は、実施形態中で明示的に説明されたものに限定されず、この各構成要素は、本発明の範囲に含まれうる任意の寸法、材料、及び配置を有するように変形することができる。また、本明細書において明示的に説明していない構成要素を、説明した実施形態に付加することもできるし、各実施形態において説明した構成要素の一部を省略することもできる。
【符号の説明】
【００３１】
１  回転補助具
１０  本体
２１ａ  第１のアーム
２１ｂ  第２のアーム
２２ａ  第１の係合面
２２ｂ  第２の係合面
２３ａ  第１のハンドル
２３ｂ  第２のハンドル
２４ａ  第１の把持面
２４ｂ  第２の把持面
２０  芯金
３０  ベルト
【図１】
2018034220.tif 000003
【図２】
2018034220.tif 000004
【図３】
2018034220.tif 000005
【図４】
2018034220.tif 000006
【図５】
2018034220.tif 000007
【図６】
2018034220.tif 000008